【手続補正書】
【提出日】平成15年9月24日(2003.9.24)
【手続補正１】
【補正対象書類名】明細書
【補正対象項目名】特許請求の範囲
【補正方法】変更
【補正の内容】
【特許請求の範囲】
【請求項１】
圧力を受ける受圧部と、前記受圧部に接続され前記受圧部で受ける圧力を電気信号に変換する力電気変換素子とを有する信号変換装置において、
前記力電気変換素子は少なくとも４つの単位素子を備え、これら単位素子が前記受圧部で受ける圧力に対して十分な剛性を備えた部材に固定されてなることを特徴とする信号変換装置。
【請求項２】
前記力電気変換素子は前記単位素子をマトリクス状に配置してなることを特徴とする請求項１記載の信号変換装置。
【請求項３】
前記受圧部には複数の突部が形成されてなることを特徴とする請求項１記載の信号変換装置。
【請求項４】
圧力を受ける受圧部と、
前記受圧部に接続され前記受圧部で受ける圧力を電気信号に変換する、少なくとも４つの単位素子を備えた力電気変換素子と、
前記複数の単位素子が前記受圧部で受ける圧力に対して十分な剛性を持つように前記力電気変換素子に固定されたベースと、
前記力電気変換素子からの出力信号を基に、前記受圧部が受けた圧力情報を特定の動作指令に対応させる演算部と、
を有することを特徴とする信号変換装置。
【請求項５】
前記演算部は、前記単位素子で変換された電気信号をベクトル的に加算処理することを特徴とする請求項４記載の信号変換装置。
【請求項６】
入力された押圧力から、この押圧力の圧力点の２次元座標と、この押圧力に基づく圧力座標とを検出する入力検出手段と、
前記２次元座標と前記圧力座標から３次元領域における位置領域を検出し、検出された各位置領域に対して代表点を割り当てる座標検出手段と、
を備えることを特徴とする信号入力装置。
【請求項７】
前記座標検出手段が、前記圧力座標に対応する複数の画面と、前記２次元座標に対応する各画面の区画から構成される３次元的な領域とこれに対応する代表点とをそれぞれ登録する領域登録手段を含む、請求項６の信号入力装置。
【請求項８】
前記入力検出手段が、前記押圧力から、２次元座標および圧力座標への変換係数の登録手段を含む、請求項７の信号入力装置。
【請求項９】
前記入力検出手段と、前記座標検出手段が、共に時間的な変化の情報をパラメータとして有する、請求項８の信号入力装置。
【請求項１０】
前記入力検出手段においては、複数の圧力検出素子の群が複数の位置に配置されており、前記圧力検出素子から得られる検出点の角度情報に基づく圧力座標の検出が行われ、前記圧力検出素子の全出力に基づいて押圧力の検出が行われる、請求項６の信号入力装置。
【請求項１１】
入力としての押圧力を受ける受圧部と、この受圧部が感知した圧力情報を電気信号に変換する力電気変換手段と、この変換手段で変換された電気信号に応じた映像を表示するディスプレイと、を有する信号入力装置において、
上記力電気変換と上記ディスプレイの間に、任意の手段でディスプレイ上に表示される映像の表示位置に関する２次元コードとこれ以外のコードとしての任意の操作コードとを、電気的に変換された上記圧力情報を基にして同時的に指定できるエンコード手段が設けられており、
上記ディスプレイ上に現在表示されている映像を分割して得られる現状画面領域と、現在は表示されていないがある入力操作により表示される映像を分割して得られる隠れ画面領域から構成される画像空間領域とに、上記エンコード手段で生成される複数のコードが対応される機能を有している事を特徴とする信号入力装置。
【請求項１２】
入力される押圧力の時系列的な変化を記憶する押圧情報記憶手段が設けられており、上記エンコード手段は、前記の押圧情報記憶手段の内容を基にして時間的な押圧パターンを形成可能に構成されていることを特徴とする、請求項１１に記載の信号入力装置。
【請求項１３】
上記エンコード手段の内容を登録し再生する登録再生機能を有するものとして構成されているか、登録再生機能を有する機器を接続可能とする手段を有するものとして構成されるか、のいずれか一方を満足するものとして構成されている事を特徴とする、請求項１２に記載の信号入力装置。
【請求項１４】
上記受圧部には少なくとも２組の力電気変換手段が取付けられており、これらの受圧部は力電気変換手段に対して各々片持梁的になる様に配設されており、上記受圧部を含む平面におけるこれらの片持梁的な領域の上記力電気変換手段を通る代表軸線は、互いに実質的に直交している事を特徴とする請求項１から３の１つに記載の信号入力装置。
【請求項１５】
入力情報としての押圧力が加えられる平板と、前記平板に結合された複数個の感圧センサへと、を有する入力情報検出デバイスにおいて、
２個の前記感圧センサのペアの複数個を、前記平板の中心点と異なる位置に、かつ、その中心的とを結ぶ同一線上に重ならない位置に、配置する事を特徴とすね、力電気変換装置。
【請求項１６】
入力としての力が加えられる、ある面積を持った押圧部と、
前記押圧部に加えられた力を検出して電気信号に変換する力電気信号検出手段と、
前記力電気信号検出手段が出力する電気信号から、少なくとも前記押圧部に加えられた力の大きさと前記押圧部上での位置の情報を含む情報を出力する情報出力装置と、
前記情報出力装置から出力された前記情報に基づいて、前記入力としての力の特性を判断し、その判断結果に基づいて切り替えスイッチの切り替え設定や、その結果の画面上への表示や、指示位置の表示等の各種の機能の実現を図る演算を行う演算装置と、
を有し、
前記演算装置は、少なくとも、
所定時間が経過するごとに、所定の演算処理を行う様に制御する繰り返し演算制御      部と、入力された押圧力の大きさおよび位置に応じた値を累積演算し、演算結果を      出力する累積演算部と、
ある値を前記累積演算結果から除き、その演算結果を出力する減算演算部と、
前記減算演算部からの出力を、あらかじめ設定された値で除して、結果を出力する      除算部と、
前記除算部の出力を現在の指示位置に加算し、その結果を新しい指示位置として出      力する加算部と、
前記累積演算部、減算演算部、除算部、および加算部は、前記繰り返し演算制御部      によって時間制御されていることを特徴とする信号入力装置。
【請求項１７】
前記累積演算部、減算演算部、除算部、および加算部は、それぞれの演算をｘ方向成分、ｙ方向成分にわけて行うことを特徴とする請求項１６に記載の信号入力装置。
【請求項１８】
入力としての力が加えられる、ある面積を持った押圧部と、
前記押圧部に加えられた力を検出して電気信号に変換するセンサ部と、
前記センサ部が出力する電気信号から、少なくとも前記押圧部に加えられた力の大きさと前記押圧部上での位置の情報を含む情報を出力する情報出力装置と、
前記情報出力装置から出力された前記情報に基づいて、前記入力としての力の特性を判断し、その判断結果に基づいて切り替えスイッチの切り替え設定や、その結果の画面上への表示や、指示位置の表示等の各種の機能の実現を図る演算を行う演算装置と、
を有し、
前記演算装置は、少なくとも、
押圧位置の変化が大きく、押圧力は小さく、押圧力の大きさの変化が少ない場合に      入力モードをモードＡと判断し、押圧位置の変化が小さく、押圧力は大きく、押圧      力の大きさの変化が少ない場合に入力モードをモードＢと判断し、押圧位置の変化      が大きく、押圧力は大きかったり小さかったりで、大きさの変化が多い場合に入力      モードをモードＣと判断するモード判断部と、
前記モード判断部が入力モードをモードＡと判断した場合には、押圧力および押圧      位置が指示部の移動速度に対応するものとして指示位置を決定し、前記モード判断      部が入力モードをモードＢと判断した場合には、押圧位置が指示部の位置に対応す      るものとして指示位置を決定し、前記モード判断部が入力モードをモードＣと判断      した場合には、押圧力および押圧位置が指示位置の加速度に対応するものとして指      示位置を決定する指示位置演算部と、
を有することを特徴とする信号入力装置。
【請求項１９】
入力としての力が加えられる、ある面積を持った押圧部と、
前記押圧部に加えられた力を検出して電気信号に変換するセンサ部と、
前記センサ部が出力する電気信号から、少なくとも前記押圧部に加えられた力の大きさと前記押圧部上での位置の情報を含む情報を出力する情報出力装置と、
前記情報出力装置から出力された前記情報に基づいて、前記入力としての力の特性を判断し、その判断結果に基づいて切り替えスイッチの切り替え設定や、その結果の画面上への表示や、指示位置の表示等の各種の機能の実現を図る演算を行う演算装置と、
を有し、
前記演算部は、前記演算に用いる各種定数を設定するための定数設定部を有するものとして構成され、
前記定数の設定は、入力としての押圧力の特性に基づいて演算に最適な値を演算装置が自動的に判断することによって行われることを特徴とする信号入力装置。
【請求項２０】
独立したディスプレイ装置上に表示される画像の上のカーソルをポインティングデバイス上に加えられるトレース力によって移動できる、パーソナルコンピュータ用リモートコントローラの信号入力装置であって、
前記ポインティングデバイスに加えられる押圧力と、前記ポインティングデバイスに加えられる前記押圧力の移動方向と、押圧時間と、あらかじめ設定されたカーソル質量の仮想慣性と、前画面上での前記カーソルの動きによって生成された仮想摩擦とに基づいて決定される加速度で、ある距離を、前記カーソルが前記画面上で移動し、
前記加速度は以下の式
（押圧力−仮想摩擦）／仮想慣性
によって決定されることを特徴とする、信号入力装置。
【請求項２１】
独立したディスプレイ装置上に表示される画像の上のカーソルをポインティングデバイス上に加えられるトレース力によって移動できる、パーソナルコンピュータ用リモートコントローラの信号入力装置であって、
前記ポインティングデバイスに加えられる押圧力と、前記ポインティングデバイスに加えられる前記押圧力の移動方向と、押圧時間と、あらかじめ設定されたカーソル質量の仮想慣性と、前画面上での前記カーソルの動きによって生成された仮想摩擦とに基づいて決定される加速度で、ある距離を、前記カーソルが前記画面上で移動し、
前記距離は以下の式
カーソル加速度ｘ押圧時間ｘ押圧時間
によって決定されることを特徴とする、信号入力装置。
【請求項２２】
圧力を受ける受圧部と、
少なくとも４つの単位素子からなり、前記受圧部に接続され、前記受圧部が受ける圧力を対応する電気信号に変換する力電気変換部と、
前記力電気変換部に固定され、前記受圧部を介して複数の前記単位素子に加えられる圧力に対して十分な剛性を持つように形成される、ベースと、
前記力電気変換部からの出力信号に基づいて、前記受圧部が受けた圧力データを特定の操作指令に対応させる演算部と、
を有し、
前記演算部は、前記力電気変換部の前記単位素子が変換する前記電気信号を、以下の工程Ｓ１からＳ３
1997160713.tif 000001
に従って前記電気信号のベクトルを加算する処理を行うことを特徴とする、信号変換装置。